(57)【要約】【課題】ソフトルアーを装着するジグヘッドにおいて、リトリーブ中に、ジグヘッドに装着したソフトルアーがヘッド部と独立した動きをすることにより、ソフトルアーの自然なスイミングアクションを実現するとともに、魚の針掛かりを確実なものとする。【解決手段】釣り針11の接続部6を下部に設けるとともに、釣り糸4を摺動自在に挿通するための挿通孔5を、頭頂部から尾部側に貫通させて形成したヘッド部1と、このヘッド部1の挿通孔5に挿通した釣り糸4を連結するための連結部10を一端に設け、釣り針11を係合するための係合部12を他端に設けた挿入杆7とから成るものである。そして、この挿入杆7をソフトルアー14に挿入した状態で、係合部12をソフトルアー14の腹部15から外方に突出可能とするとともに、ヘッド部1と挿入杆7とは、ヘッド部1を摺動自在に挿通した釣り糸4を介して接続して成るものである。【選択図】図１
2005095067.tif 000002
【特許請求の範囲】
【請求項１】
釣り針の接続部を下部に設けるとともに、釣り糸を摺動自在に挿通するための挿通孔を、頭頂部から尾部側に貫通させて形成したヘッド部と、このヘッド部の挿通孔に挿通した釣り糸を連結するための連結部を一端に設け、釣り針を係合するための係合部を他端に設けた挿入杆とから成り、この挿入杆をソフトルアーに挿入した状態で係合部をソフトルアーの腹部から外方に突出可能とするとともに、ヘッド部と挿入杆とは、ヘッド部に摺動自在に挿通した釣り糸を介して接続したことを特徴とする、ジグヘッド。
【請求項２】
ヘッド部は、オモリとなる重量部材を樹脂材で被覆して形成したことを特徴とする請求項１のジグヘッド。
【請求項３】
ヘッド部は、ヘッド部側の一端を径小とするとともに他端を径大とするコイルを、尾部側に突出形成し、このコイルをソフトルアーに螺入可能としたことを特徴とする請求項１または２のジグヘッド。
【発明の詳細な説明】
【技術分野】
【０００１】
本発明は、ソフトルアーを接続して使用するルアーフィッシング用のジグヘッドに係るもので、ソフトルアーの交換を容易としながら、魚の針掛かりを確実なものとするとともに、ソフトルアーのスイミングアクションの向上を図ろうとするものである。
【背景技術】
【０００２】
【特許文献１】特開平５−２２７８６２号公報
【特許文献２】特開２００１−２５８４２６号公報  従来、ソフトルアーを接続して使用するルアーフィッシング用のジグヘッドには、特許文献１に記載の発明の如く、オモリとなるヘッド部に１個の針先を有する針本体を接続固定したものが知られている。上記特許文献１に記載の発明は、魚の形に模したヘッド部を形成している。このように、ヘッド部を魚を模した形状とすることにより、このジグヘッドの針本体にソフトルアーを装着してリトリーブした場合に、魚の警戒心を減らして食いを良くすることを目的としている。
【０００３】
また、特許文献２に記載の発明は、オモリとなる重量部材を魚の形に模して形成したヘッド部の下方に釣り針を接続するとともに、ルアーを装着するための両鈎状のフックをヘッド部の尾部側に突出形成している。このジグヘッドは、ヘッド部のフックをルアーの頭部側に設けられた挿入穴に挿入してルアーを装着するものである。
【発明の開示】
【発明が解決しようとする課題】
【０００４】
しかしながら、特許文献１及び２に示すジグヘッドは、ルアーを装着するための針本体又はフックをヘッド部と一体となるよう固定的に接続して設けたものであるため、特許文献１及び２に示すヘッド部にルアーを装着した場合、ルアーの動きがヘッド部によって拘束されるものとなる。従って、リトリーブ時において、ヘッド部とルアーとがそれぞれ独立した動きをすることが困難となり、ルアーの自然なスイミングアクションを実現することが難しかった。また、それぞれのジグヘッドには釣り針が１箇所にしか設けられていないため、一旦魚が針掛かりしても、針掛かりした魚を釣り上げるまでに、魚が釣り針から外れてしまうことも多かった。
【０００５】
また、特許文献１に示すジグヘッドは、ヘッド部に固定的に接続した針本体の針先が１個であり、針本体のみを適宜交換することは不可能であるため、対象魚がソフトルアーの後方からアタックする場合は、特許文献１に示す針本体で対応することが可能であるが、対象魚の種類や釣りの状況によっては、対象魚がソフトルアーの前方若しくは下方からアタックする場合があり、このような状況下では、特許文献１に示す針本体では十分に対応することができなかった。
【０００６】
また、特許文献２に示すジグヘッドは、ルアーに形成されたフック挿入穴にヘッド部に設けられた両鈎状のフックを挿入することにより、ルアーの装着を可能とするものであるため、このジグヘッドに使用するルアーにはフック挿入穴を設けた専用のものを使用しなければならず、使用することができるルアーが限られることから、対象魚や釣りの状況に応じて自由にルアーを選択することが困難であった。
【０００７】
本発明は、上述のごとき課題を解決しようとするものであって、リトリーブ中にルアーがヘッド部の動きに拘束されることなく、ヘッド部とルアーがそれぞれ独立した動きをすることによって、ルアーのスイミングアクションを向上させて、本物の魚の動きに近付けることを可能とするとともに、前方、後方、側方等、あらゆる方向からの魚のアタックに対応可能とするものである。また、あらゆる種類のソフトルアーを装着可能とし、釣りの状況に応じて様々なソフトルアーに簡易かつ迅速に交換できるようにしようとするものである。
【課題を解決するための手段】
【０００８】
本発明は、釣り針の接続部を下部に設けるとともに、釣り糸を摺動自在に挿通するための挿通孔を、頭頂部から尾部側に貫通させて形成したヘッド部と、このヘッド部の挿通孔に挿通した釣り糸を連結するための連結部を一端に設け、釣り針を係合するための係合部を他端に設けた挿入杆とから成り、この挿入杆をソフトルアーに挿入した状態で係合部をソフトルアーの腹部から外方に突出可能とするとともに、ヘッド部と挿入杆とは、ヘッド部に摺動自在に挿通した釣り糸を介して接続して成るものである。
【０００９】
また、ヘッド部は、オモリとなる重量部材を樹脂材で被覆して形成したものであってもよい。
【００１０】
また、ヘッド部は、ヘッド部側の一端を径小とするとともに他端を径大とするコイルを、尾部側に突出形成し、このコイルをソフトルアーに螺入可能としたものであってもよい。
【発明の効果】
【００１１】
本発明は、ジグヘッドを、ソフトルアーに挿入するための挿入杆とヘッド部を別体にて形成するとともに、釣り糸に接続した挿入杆をソフトルアーに挿入し、釣り糸をヘッド部に摺動自在に挿通することにより、リトリーブ中にソフトルアーがヘッド部の動きに拘束されることなく、ヘッド部とソフトルアーがそれぞれ独立した動きをすることを可能としている。従って、ソフトルアーの自然なスイミングアクションを実現可能とすることにより、水中でのソフトルアーの動きを本物の魚の動きにより近付けて、良好な釣果を得ることを可能としている。
【００１２】
また、あらゆる種類のソフトルアーを装着可能とし、釣りの状況に応じて簡易かつ迅速に様々なソフトルアーに交換することを可能とするとともに、ヘッド部及び挿入杆にそれぞれ釣り針の接続部及び係合部を設けることにより、ソフトルアーの後方からのみでなく、前方や側方からアタックした場合にも、確実に針掛かりさせることを可能としている。
【実施例１】
【００１３】
本発明の実施例１を図１及び図２において示すと、（１）はヘッド部であり、このヘッド部（１）は魚の頭部を模した形状を樹脂材（２）にて形成している。また、図２に示す如く、このヘッド部（１）の内部には、鉛、鉄等の比重の重い金属で形成したオモリとなる重量部材（３）を埋め込んでいる。そして、このヘッド部（１）の頭頂部中央から尾部側にかけて、釣り糸（４）を挿通するための挿通孔（５）を貫通形成している。この挿通孔（５）は、挿通した釣り糸（４）が自在に摺動することができる直径に形成したものである。そして、このヘッド部（１）の下部にはＵ字状の金具により、釣り針を接続するための接続部（６）を設けている。
【００１４】
また、挿入杆（７）はステンレスにて形成し、図１に示す如く、両端を折り曲げるとともに、折り曲げた部分に止めリング（８）を被覆し、釣り糸（４）を連結するための連結部（１０）を前方に、及び釣り針（１１）を係合するための係合部（１２）を後方に形成している。尚、本実施例では止めリング（８）を折り曲げ部に摺動不能に固定し、スナップ環（１３）を介して釣り針（１１）を接続しているが、他の異なる実施例において、この止めリング（８）を軸方向に摺動可能とすることにより、スナップ環（１３）を必要とせず、係合部（１２）への釣り針（１１）の着脱を容易なものとすることもできる。
【００１５】
また、この挿入杆（７）をソフトルアー（１４）に突き刺して挿入する際に、挿入杆（７）の係合部（１２）がソフトルアー（１４）の腹部（１５）から外方に突出可能となるよう、図１に示す如く挿入杆（７）を折り曲げている。尚、本発明に係る挿入杆（７）は、使用するソフトルアー（１４）の種類、大きさ等に応じて、釣り人の所望の位置や角度に任意に折り曲げることができる硬度に形成している。
【００１６】
上記の如く構成したものに於いて、ヘッド部（１）の接続部（６）には、スナップ環（１３）を介して対象魚や釣りの状況に応じた釣り針（１１）を装着し、予め釣り糸（４）をヘッド部（１）に形成した挿通孔（５）の頭頂部側から尾部側に向けて挿通しておく。そして、ソフトルアー（１４）の腹部（１５）から頭部側に向けて挿入杆（７）を突き刺して挿入し、この挿入杆（７）の連結部（１０）をソフトルアー（１４）の頭部側から外方に突出させて、上記の如くヘッド部（１）に挿通した釣り糸（４）を、この連結部（１０）に連結する。その後、この挿入杆（７）の係合部（１２）をソフトルアー（１４）の腹部（１５）から外方に突出させて、この係合部（１２）にスナップ環（１３）を介して釣り針（１１）を係合する。
【００１７】
また、ソフトルアー（１４）は軟質な合成樹脂等で形成されているため、容易に挿入杆（７）を突き刺してソフトルアー（１４）内に挿入することができる。従って、本発明のジグヘッドは特許文献２に示すジグヘッドと異なり、装着可能なソフトルアー（１４）の種類が限定されず、あらゆる種類のソフトルアー（１４）を装着することができる。また、図１に示す如く、本実施例では釣り針（１１）として碇針を接続部（６）及び係合部（１２）に接続しているが、他の異なる実施例においてはこれに限らず、対象魚や釣りの状況に応じて針先が１つの釣り針（１１）など、様々な種類の釣り針（１１）を適宜選択して接続することができる。
【００１８】
上記の如く、本実施例のジグヘッドは、ソフトルアー（１４）に挿入するための挿入杆（７）とヘッド部（１）を別体にて形成するとともに、釣り糸（４）に接続した挿入杆（７）をソフトルアー（１４）に挿入し、釣り糸（４）をヘッド部（１）に摺動自在に挿通しているため、リトリーブ中にソフトルアー（１４）がヘッド部（１）の動きに拘束されることなく、ヘッド部（１）とソフトルアー（１４）がそれぞれ独立した動きを可能としている。
【００１９】
また、オモリとなる重量部材（３）を樹脂材（２）にて被覆することにより、ヘッド部（１）の大きさをオモリとなる重量部材（３）の重量とは無関係に設計することが可能となる。例えば、小さな重量部材（３）であっても、樹脂材（２）で被覆することにより、任意の大きさのヘッド部（１）を形成することができる。また、この重量部材（３）の外周を樹脂材（２）にて被覆していることから、重量部材（３）が直接海水等に接触することがないため、鉛等の環境に与える影響が大きい重量部材（３）を用いる場合も、安全な使用を可能とする。従って、鉛等の海水等への流出による環境汚染を防止することが可能となる。
【実施例２】
【００２０】
第１実施例では、挿入杆（７）に連結した釣り糸（４）をヘッド部（１）の挿通孔（５）に摺動自在に挿通するものであるため、場合によってはソフトルアー（１４）とヘッド部（１）が分離してしまう場合が生じる。そこで、本発明の実施例２に於いては、図３に示す如く、ヘッド部（１）の尾部側に、ヘッド部（１）側の一端を径小とするとともに他端を径大とする螺旋状のコイル（１６）を突出形成している。
【００２１】
そして、上記実施例１と同様の方法でジグヘッドにソフトルアー（１４）を装着するとともに、図３に示す如く、ヘッド部（１）の挿通孔（５）に挿通した釣り糸（４）をコイル（１６）の内部に通し、この釣り糸（４）の先端を挿入杆（７）の連結部（１０）に連結した後、ソフトルアー（１４）の頭部側にコイル（１６）を螺入することにより、ヘッド部（１）とソフトルアー（１４）とをコイル（１６）を介して接続するものである。
【００２２】
本実施例のヘッド部（１）に形成したコイル（１６）は、ヘッド部（１）側の一端を径小とする円錐状に形成し、ヘッド部（１）によるソフトルアー（１４）への拘束を極力小さくして、ソフトルアー（１４）のより自由な動きを確保しながら、ヘッド部（１）とソフトルアー（１４）の連結を可能としている。また、コイル（１６）のソフトルアー（１４）側の他端を径大とすることにより、リトリーブ中にソフトルアー（１４）に対して大きな抵抗力が働くような場合があっても、コイル（１６）からソフトルアー（１４）が抜け落ちにくいものとしている。
【００２３】
本実施例におけるヘッド部（１）は上記の如く形成したものであるため、このコイル（１６）にソフトルアー（１４）を螺着することによって、リトリーブ中にヘッド部（１）とソフトルアー（１４）とが常に一体となった状態を保つことが可能となり、ヘッド部（１）とソフトルアー（１４）とがリトリーブ中に離れてしまうという不都合を防止することができる。また、ソフトルアー（１４）が、ヘッド部（１）の動きにわずかに拘束されながらも、ヘッド部（１）とは独立した動きをある程度可能なものとしているため、ソフトルアー（１４）のより自然なスイミングアクションを実現可能なものとし、水中でのソフトルアー（１４）の動きを本物の魚の動きにより近付けて、良好な釣果を得ることを可能としている。
【図面の簡単な説明】
【００２４】
【図１】本発明の実施例１を示す斜視図及びソフトルアーの斜視図。
【図２】本発明の実施例１を示す断面図。
【図３】本発明の実施例２を示す断面図。
【符号の説明】
【００２５】
１  ヘッド部
２  樹脂材
３  重量部材
４  釣り糸
５  挿通孔
６  接続部
７  挿入杆
１０  連結部
１１  釣り針
１２  係合部
１４  ソフトルアー
１５  腹部
１６  コイル
【図１】
2005095067.tif 000003
【図２】
2005095067.tif 000004
【図３】
2005095067.tif 000005